(57)【要約】【課題】構造が単純であり、製造コストが安くかつ仕切り板を引き出した際の美観が優れており、かつ隣接する遊技機間の非常に狭い隙間にも配置及び収納でき、かつ２段階の引き出し構造により充分な引き出し長さを確保することができる、遊技機用の仕切り装置及びこの仕切り装置を備えた遊技機を提供する。【解決手段】隣接する遊技機本体間の隙間に出し入れ自在に設けられる遊技機用の仕切り装置は、隙間の上部に配置され、遊技機本体の前後方向かつ水平方向に沿って設けられた固定レール部材と、固定レール部材にスライド自在に装着されたスライド部材と、スライド部材に固着され、スライド部材の移動により遊技機本体の前後方向かつ水平方向に移動可能であり、一部又は全部が隙間に収納される第１の仕切り板と、回動軸を介して第１の仕切り板に回動可能に装着された第２の仕切り板とを備えている。【選択図】図１
2014100407.tif 000002
【特許請求の範囲】
【請求項１】
隣接する遊技機本体間の隙間に出し入れ自在に設けられる仕切り装置であって、
前記隙間の上部に配置され、前記遊技機本体の前後方向かつ水平方向に沿って設けられた固定レール部材と、
前記固定レール部材にスライド自在に装着されたスライド部材と、
前記スライド部材に固着され、前記スライド部材の移動により前記遊技機本体の前後方向かつ水平方向に移動可能であり、一部又は全部が前記隙間に収納される第１の仕切り板と、
回動軸を介して前記第１の仕切り板に回動可能に装着された第２の仕切り板とを備えていることを特徴とする仕切り装置。
【請求項２】
前記第１の仕切り板及び前記第２の仕切り板の互いに対向する面に平滑な凸突出面を有するスペーサ手段がそれぞれ設けられ、該スペーサ手段により前記第１の仕切り板及び前記第２の仕切り板とが所定間隔を保つように構成されていることを特徴とする請求項１に記載の仕切り装置。
【請求項３】
前記第２の仕切り板の上部には、前記スライド部材にその長さ方向に沿って設けられた凹断面溝内に挿入され、該凹断面溝に沿って移動可能な凸部が設けられていることを特徴とする請求項１又は２に記載の仕切り装置。
【請求項４】
前記スライド部材の前端側には、前記凸部が当接することで前記第２の仕切り板の引き出し方向への回動範囲を規制する第１のストッパ手段が設けられていることを特徴とする請求項３に記載の仕切り装置。
【請求項５】
前記第２の仕切り板の端縁部には、該第２の仕切り板の収納する方向への回動範囲を規制する第２のストッパ手段が設けられていることを特徴とする請求項３又は４に記載の仕切り装置。
【請求項６】
前記第２のストッパ手段は、前記第２の仕切り板の両面に設けられた２枚の板状部材であり、前記板状部材の中央部に凹部が形成されていることを特徴とする請求項５に記載の仕切り装置。
【請求項７】
前記固定レール部材は、前記第１の仕切り板及び前記第２の仕切り板を収納する収納枠の上部のみに設けられ、前記収納枠の横幅は、１０ｍｍ以下であることを特徴とする請求項１から６のいずれか１項に記載の仕切り装置。
【請求項８】
前記遊技機本体と、隣接する該遊技機本体間の隙間に設けられた、請求項１から７のいずれか１項に記載の仕切り装置とを備えたことを特徴とする遊技機。
【請求項９】
遊技者が遊技機の操作ハンドルを操作する際に腕を載せるための腕載せ台をさらに備え、
前記腕載せ台は、
前記遊技機本体を設置する台に固定され、水平方向に伸長する角筒部材と、
前記角筒部材に挿通され、スライド可能に装着された第１の部材と、
前記第１の部材にスライド自在に装着された第２の部材と、
前記角筒部材の伸長方向と垂直の面内において回動可能に前記第２の部材上に装着されており、遊技を行う遊技者の腕を載せるための腕載せ部とを備え、
前記角筒部材には、第１の部材のスライドを規制する規制手段が設けられていることを特徴とする請求項８に記載の遊技機。
【発明の詳細な説明】
【技術分野】
【０００１】
本発明は、隣接する遊技機本体間の隙間に設けられた収納部に引き出し自在に収納することができ、遊技機毎に空間を仕切るための遊技機用の仕切り装置に関する。
【背景技術】
【０００２】
遊技施設では、複数の遊技機（例えば、パチンコ台、スロット台及び／又はパチスロ台等）が並列に設置されおり、遊技者は遊技機の前面側に設けられた椅子に並んで腰掛けて遊技を行う。この場合、隣接する遊技機との間隔は狭く、各遊技者は非常に接近した状態で遊技を行うため、プライバシーを保つことが難しく、例えば、隣の遊技者からの視線等によって遊技に集中できなくなるという不具合があった。また、隣接遊技者が喫煙した場合、その煙が自分の遊技機エリアにも流入し、非常に不快となる不具合があった。
【０００３】
これらの不具合を解決するため、即ち、隣の遊技者からの視線等が気にならなくなってプライバシーが保たれ、しかも、隣接遊技者からのタバコの煙が気にならなくなり、安心して自分の好みの遊技台で遊技できるように、各遊技機間に仕切り板を設けることが行われている。
【０００４】
しかしながら、仕切り板が、遊技機の前面側に常時突出したままであると、清掃等の作業の邪魔になるとい問題点があった。このような問題点を解消するため、仕切り板を隣接する遊技機本体間に収納することができる台間仕切り装置が提案されている（例えば、特許文献１）。
【０００５】
特許文献１に記載された台間仕切り装置は、格納部と、格納部に支持されこの格納部に格納された状態と仕切る状態とに位置変更可能な仕切り部と、上下一対の蓋部とから構成され、格納部は、台間部に設けられ、前面側が開口する縦長の箱状となっている。仕切り部は、３枚の仕切り板で構成されている。各仕切り板は、上下両縁部がそれぞれサイズの異なる断面コ字状に形成されており、第１仕切り板の上下両縁部の内側に第２仕切り板の上下両縁部が前後方向に摺動自在に嵌合し、第２仕切り板の上下両縁部の内側に第３仕切り板の上下両縁部が前後方向に摺動自在に嵌合している。これにより、各仕切り板を互いに前後方向にずらして、仕切り部の前後方向の長さを変更することができるようになっている。
【先行技術文献】
【特許文献】
【０００６】
【特許文献１】特開２００７−１７５３６８号公報
【発明の概要】
【発明が解決しようとする課題】
【０００７】
しかしながら、特許文献１に記載されている台間仕切り装置は、３枚の仕切り板が互いに嵌合して前後方向に摺動するという非常に複雑な構造となっているため、製造コストが高いことのみならず、引き出した際の仕切り部の外観が複雑で見た目が悪いという問題を有している。
【０００８】
従って本発明の目的は、構造が単純であり、製造コストが安くかつ仕切り板を引き出した際の美観が優れている、遊技機用の仕切り装置及びこの仕切り装置を備えた遊技機を提供することにある。
【０００９】
本発明の目的は、隣接する遊技機間の非常に狭い隙間にも配置及び収納でき、かつ２段階の引き出し構造により充分な引き出し長さを確保することができる、遊技機用の仕切り装置及びこの仕切り装置を備えた遊技機を提供することにある。
【課題を解決するための手段】
【００１０】
本発明によれば、隣接する遊技機本体間の隙間に出し入れ自在に設けられる遊技機用の仕切り装置は、隙間の上部に配置され、遊技機本体の前後方向かつ水平方向に沿って設けられた固定レール部材と、固定レール部材にスライド自在に装着されたスライド部材と、スライド部材に固着され、スライド部材の移動により遊技機本体の前後方向かつ水平方向に移動可能であり、一部又は全部が隙間に収納される第１の仕切り板と、回動軸を介して第１の仕切り板に回動可能に装着された第２の仕切り板とを備えている。
【００１１】
このような遊技機用の仕切り装置によれば、仕切り板が、スライド部材の移動により遊技機本体の前後方向かつ水平方向に移動可能であり、隙間に収納される第１の仕切り板と、回動軸を介して第１の仕切り板に回動可能に装着された第２の仕切り板とから構成されているため、構造が単純であり、製造コストが安くかつ仕切り板を引き出した際の美観が優れている。特に、第１の仕切り板の下部にはスライド部材等の余分な部材が設けられておらず、また、第２の仕切り板の下部にも余分な部材が設けられていないため、簡易なかつすっきりしたデザインとなっており、この点からも優れた美観が得られる。また、隣接する遊技機間の非常に狭い隙間、例えば、遊技機本体間の隙間を覆うパネルを設置した後、余った狭い隙間内にも配置及び収納でき、かつ２段階の引き出し構造により充分な引き出し長さを確保することができる。
【００１２】
第１の仕切り板及び第２の仕切り板の互いに対向する面に平滑な凸突出面を有するスペーサ手段がそれぞれ設けられ、これらスペーサ手段により第１の仕切り板及び第２の仕切り板とが所定間隔を保つように構成されていることが好ましい。これにより、第２の仕切り板を回動させる際に、第１の仕切り板と第２の仕切り板との間に所定の狭い間隔を形成した場合にも、仕切り板の表面に擦り傷が発生することを防止できる。
【００１３】
第２の仕切り板の上部には、スライド部材にその長さ方向に沿って設けられた凹断面溝内に挿入され、この凹断面溝に沿って移動可能な凸部が設けられていることが好ましい。これにより、第２の仕切り板が第１の仕切り板に並行して回動することができる。
【００１４】
スライド部材の前端側には、凸部が当接することで第２の仕切り板の引き出し方向への回動範囲を規制する第１のストッパ手段が設けられていることが好ましい。これにより、簡単な構成で第２の仕切り板の引き出し方向への回動範囲を規制することができる。
【００１５】
第２の仕切り板の端縁部には、第２の仕切り板の収納する方向への回動範囲を規制する第２のストッパ手段が設けられていることも好ましい。
【００１６】
第２のストッパ手段は、第２の仕切り板の両面に設けられた２枚の板状部材であり、板状部材の中央部に凹部が形成されていることが好ましい。これにより、第２のストッパ手段を引き出し用のつまみとしても利用できる。
【００１７】
固定レール部材は、第１の仕切り板及び第２の仕切り板を収納する収納枠の上部のみに設けられ、収納枠の横幅は、１０ｍｍ以下であることが好ましい。これにより、隣接する遊技機本体間の隙間標準の台間の隙間を覆うパネルを設置した後、１０ｍｍの隙間が存在する場合、遊技機用仕切り装置を装着することができる。
【００１８】
本発明によれば、さらに、遊技機本体と、隣接する遊技機本体間の隙間の部分に設けられた、上述した遊技機用の仕切り装置とを備えた遊技機が提供される。
【００１９】
遊技者が遊技機の操作ハンドルを操作する際に腕を載せるための腕載せ台をさらに備え、腕載せ台は、遊技機本体を設置する台に固定され、水平方向に伸長する角筒部材と、角筒部材に挿通され、スライド可能に装着された第１の部材と、第１の部材にスライド自在に装着された第２の部材と、角筒部材の伸長方向と垂直の面内において回動可能に第２の部材上に装着されており、遊技を行う遊技者の腕を載せるための腕載せ部とを備え、角筒部材には、第１の部材のスライドを規制する規制手段が設けられていることが好ましい。これにより、２段階の引き出し構造により、充分な引き出し長さを確保することができる。また、収納時に、腕載せ部を略垂直方向位置（縦向き位置）に回動させて保持し狭い隙間に挿入できるようにすると共に、使用時に略水平方向位置（横向き位置）に回動させて保持することができる。
【発明の効果】
【００２０】
本発明によれば、構造が単純であり、製造コストが安くかつ仕切り板を引き出した際の美観が優れている。また、隣接する遊技機間の非常に狭い隙間、例えば、幅１０ｍｍの隙間に配置及び収納可能であり、遊技機本体間の隙間を覆うパネルを設置した後、余った狭い隙間内にも配置及び収納でき、かつ、遊技者の意向に応じて２段階に引き出すことができる。この２段階の引き出し構造により充分な引き出し長さを確保することもできる。
【００２１】
本発明によれば、遊技機は、遊技機本体と、腕載せ台と、隣接する遊技機本体間の隙間の部分に設けられた遊技機用仕切り装置とを備えていることで、遊技機用仕切り装置が隣接する遊技機間の狭い隙間に収納できると共に、遊技者は腕載せ台の引き出し長さを調整でき、最適位置において腕を腕載せ部に載せながら遊技機を操作することができる。また、腕載せ部が、略垂直方向位置と略水平方向位置との間で回動可能とされると共に、略垂直方向位置と略水平方向位置とに保持できる構造になっていることで、収納時に、腕載せ部を略垂直方向位置として、使用時に略水平方向位置として腕載せの機能を与えることができる。
【図面の簡単な説明】
【００２２】
【図１】本発明の一実施形態における遊技機用の仕切り装置の構成を概略的に示す斜視図である。
【図２】図１の実施形態における遊技機用の仕切り装置の引き出し機構を概略的に示す局部拡大斜視図である。
【図３】図１の実施形態における遊技機用の仕切り装置の引き出し機構の正面から見た図である。
【図４】図１の実施形態における遊技機用の仕切り装置の第２の仕切り板の凸部の構成を概略的に示す局部拡大斜視図である。
【図５】図１の実施形態における遊技機用の仕切り装置の全収納の状態を示す側面図である。
【図６】図１の実施形態における遊技機用の仕切り装置の１段目を収納した状態を示す側面図である。
【図７】図１の実施形態における遊技機用の仕切り装置の１段目のみを引き出した状態を示す側面図である。
【図８】図１の実施形態における遊技機用の仕切り装置を備えた遊技機の一例を概略的に示す斜視図である。
【図９】腕載せ台の全体構成を示す図である。
【図１０】腕載せ台のスライド規制部材の構成を示す正面図である。
【図１１】収納状態の腕載せ台を示す斜視図である。
【発明を実施するための形態】
【００２３】
以下、本発明に係る遊技機用の仕切り装置及びこの遊技機用仕切り装置を備えた遊技機に関する実施形態を、図を参照して説明する。
【００２４】
図１は本発明の一実施形態における遊技機用の仕切り装置１００の全体構成を示している。ただし、図１は、仕切り装置１００を引き出した状態（使用状態）を示しており、図２は仕切り装置１００の引き出し機構を示しており、図３は引き出し機構の正面から見た平面図であり、図４は第２の仕切り板の凸部の構成を示すために、第２の仕切り板の凸部が凹断面溝に挿入される前の状態を示している。
【００２５】
図１〜図４に示すように、本実施形態における仕切り装置１００は、収納枠１０と、固定レール部材２０と、スライド部材３０と、第１の仕切り板４０と、第２の仕切り板５０と、回動軸６０と、スペーサ手段７０とを備えている。使用時には第１の仕切り板４０及び／又は第２の仕切り板５０を引き出し、収納時には第１の仕切り板４０及び／又は第２の仕切り板５０を収納枠１０に収納することが可能である。仕切り装置１００は、隣接する遊技機本体Ｐ間の１０ｍｍの隙間に、又はこの隙間を覆うパネルＭが設けられた後に残った１０ｍｍの隙間に配置される。なお、関西地方の遊技施設では、遊技機本体を設置する枠は、関東地方の遊技施設より幅が１０ｍｍ広くなっており、遊技機本体間には１０ｍｍの空間が余分に存在する。
【００２６】
収納枠１０は、左右の側板１１及び１２と、上下枠１３及び１４とから主に構成されており、前面側に開口を有すると共に内部に第１の仕切り板４０及び第２の仕切り板５０を挿入し収納する空間が形成されている。この例において、上枠１３は、前方から見て右側の側板１２の上端部を折り曲げることで形成され、下枠１４は、同じ側板１２の下端部を折り曲げることで形成されている。また、収納枠１０の上部には固定レール部材２０が取り付けられている。収納枠１０の横幅は、隣接する遊技機本体Ｐ間の隙間の寸法又はこの隙間を覆うパネルＭが設けられた後に残った隙間の寸法に合わせて設計されている。例えば、収納枠１０の横幅は、１０ｍｍ以下である。パネルＭには、通常、遊技機の遊技内容に関する説明書を収容する収容部（カードホルダ）が設けられ、下部に折畳み可能なカップホルダ等が設けられることがある。
【００２７】
固定レール部材２０は、収納枠１０の上部にのみ配置され、遊技機本体の前後方向かつ水平方向に沿って設けられている。固定レール部材２０には、スライド部材３０をこの固定レール部材２０に沿ってスライド自在に係合するレール部２１と、このレール部２１が嵌入される固定部材２２と、レール部２１を固定するためのネジ２３と、スライド部材３０のスライドを規制する止めネジ２４とから主に構成されている。
【００２８】
スライド部材３０は、固定レール部材２０にその長さ方向に沿ってスライド自在に装着され、レール部２１に係合するスライド溝３１ａを有する係合部材３１と、第１の仕切り板４０及び第２の仕切り板５０の上端を共に挿入できる凹断面溝３２ａが形成されたコ字形断面部材３２と、第２の仕切り板５０の引き出し方向への回動範囲を規制する第１のストッパ手段３３とから主に構成されている。係合部材３１は、金属板材から板金加工により形成されたスライド溝３１ａをその上端部に有している。このスライド溝３１ａは、金属板材の上端部をＬ字状に折り曲げ、さらにその折り曲げ先端部を下方に折り曲げた形状を有している。コ字形断面部材３２は、金属板材から板金加工によりた凹断面形状の凹断面溝３２ａを有している。このコ字形断面部材３２は、凹断面溝３２ａが下向きとなるようにネジ等によって係合部材３１に固定されている。第１のストッパ手段３３は、スライド部材３０の前端付近に設けられている。この第１のストッパ手段３３として、本実施形態では、ノブネジが用いられている。
【００２９】
第１の仕切り板４０は、透明又は半透明の樹脂板から形成されている。この第１の仕切り板４０の前端縁は、上部が直線状、下部が板幅を減少させるように徐々に後退する曲線状に形成されている。第１の仕切り板４０の上端は、スライド部材３０の凹断面溝３２ａの片側内壁に取り付けネジ３４で固定されている。これにより、第１の仕切り板４０は、スライド部材３０の移動によりその一部又は全部が収納枠１０内に収納可能となっている。また、第１の仕切り板４０の下端は、自由端となっている。
【００３０】
第２の仕切り板５０は、透明又は半透明の樹脂板から形成されている。この第２の仕切り板５０は、第１の仕切り板４０よりその面積が小さく、略扇形状を有している。第２の仕切り板５０の下端は、扇形状の要となっており、その下端近傍には回動軸６０が取り付けられている。第２の仕切り板５０は、この回動軸６０を介して第１の仕切り板４０の前端縁部に回動自在に装着されており、第１の仕切り板４０と平行に回動可能に構成されている。第２の仕切り板５０の上端は、スライド部材３０の凹断面溝３２ａに挿入可能となっている。この第２の仕切り板５０の上端には、凹断面溝３２ａ内をこの凹断面溝３２ａに沿って移動可能な凸部５１が、この第２の仕切り板５０から上方へ突出した状態で一体的に形成されている。この凸部５１が第１のストッパ手段３３に当接することで、第２の仕切り板５０の引き出し方向（前方）への回動が制限される。即ち、この凸部５１が第１のストッパ手段３３に当接した状態は、第２の仕切り板５０の最大引き出し位置となる。また、第２のストッパ手段として第２の仕切り板５０の前端縁部の両面に２枚の板状部材５２ａ及び５２ｂが固着されている。この２枚の板状部材５２ａ及び５２ｂのいずれかが、第１の仕切り板４０の前縁に当接することで、第２の仕切り板５０の収納する方向（後方）への回動を規制することができる。この状態は、第２の仕切り板５０の収納位置となる。板状部材５２ａ及び５２ｂは、本実施形態では、第２の仕切り板５０と同じ透明又は半透明の樹脂板を半長円形状に切断加工して形成されており、それらの中央部には切り抜き部（貫通孔）５３ａ及び５３ｂがそれぞれ形成されている。これにより、板状部材５２ａ及び５２ｂは第２の仕切り板５０の引き出し用のつまみとしても機能する。
【００３１】
回動軸６０は、第２の仕切り板５０を第１の仕切り板４０に回動自在に装着するものであり、本実施形態では、第１の仕切り板４０に固着された軸部材に第２の仕切り板５０に形成された貫通孔を挿通して回動自在とすることで構成されている。この回動軸６０は、第１の仕切り板４０の直線状の前端縁の最下端部近傍に設けられている。なお、この回動軸６０の位置は、第２の仕切り板５０の寸法に合わせて適宜に設計される。
【００３２】
スペーサ手段７０は、本実施形態では、平滑な凸突出面を有する鋼球又は他の金属球を第１の仕切り板４０及び第２の仕切り板５０の互いに対向する面にそれぞれ一部を埋め込むことによって構成されている。このようなスペーサ手段７０を設けることにより、平滑な凸突出面とこれに対向する第１の仕切り板４０又は第２の仕切り板５０の表面とが当接し、第１の仕切り板４０及び第２の仕切り板５０が互いに所定間隔を保った状態となる。その結果、第２の仕切り板５０が第１の仕切り板４０と平行に回動する際に、これら仕切り板の表面の擦り傷が発生することを防止できる。スペーサ手段７０としては、鋼球又は他の金属球に限定されることなく、樹脂球又は他の材料の球であっても良いし、平滑な凸突出面を有していれば他の形状の金属、樹脂又は他の材料の突起であっても良い。なお、本実施形態では、第１の仕切り板４０及び第２の仕切り板５０の各々に１つのスペーサ手段７０が設けられているが、その数は１つに限定されることなく、任意の複数であっても良い。また、スペーサ手段７０の取り付け位置としては、第２の仕切り板５０を回動した際に、この第２の仕切り板５０に取り付けたスペーサ手段７０と、第１の仕切り板４０に取り付けたスペーサ手段７０とが衝突することなく、互いにすれ違うような位置に取り付けることが必要である。
【００３３】
図５は仕切り装置１００を全収納した状態を示している。同図に示すように、仕切り装置１００を全収納した状態では、第１の仕切り板４０（１段目）の大部分が収納枠１０内に挿入及び収納されており、その前端側の一部が収納枠１０の外側に露出している。また、第２の仕切り板５０（２段目）の一部も収納枠１０内に挿入され、その前端側の一部が収納枠１０の外側に露出している。使用する際は、この第２の仕切り板５０の露出している板状部材５２ａ及び５２ｂを摘んで引き出す方向（前方）へ回動させることにより、第２の仕切り板５０を引き出すことができる。
【００３４】
図６は仕切り装置１００の第１の仕切り板４０（１段目）のみが収納されており、第２の仕切り板５０が引き出されている状態を示している。同図に示すように、第１の仕切り板４０が収納されている状態では、第１の仕切り板４０の前端側の一部が収納枠１０の外側に露出している。第２の仕切り板５０は引き出されている状態である。この状態で、第１の仕切り板４０又は第２の仕切り板５０を引き出す方向へ引っ張ることで、図１に示す使用状態になる。なお、第１の仕切り板４０の引き出し長さは、必要に応じて任意に設定することができる。
【００３５】
図７は仕切り装置１００の第１の仕切り板４０（１段目）のみが引き出されており、第２の仕切り板５０が収納されている状態を示している。
【００３６】
図８は複数の遊技機が並べて設置され、隣接する遊技機本体Ｐの間に、パネルＭが設置されると共に仕切り装置１００が設けられた遊技機１００Ａの一例を示している。同図に示すように、遊技機１００Ａは、複数の遊技機本体Ｐと、複数の仕切り装置１００と、複数の腕載せ台２００とを備えている。この例では、仕切り装置１００は、隣接する遊技機本体Ｐ間の隙間を覆うパネルＭが設けられた後、残った隙間に配置されている。図８では、仕切り装置１００の第１の仕切り板４０と第２の仕切り板５０とが共に引き出されている状態と、第１の仕切り板４０のみが引き出されている状態と、第１の仕切り板４０と第２の仕切り板５０とが全て収納されている状態とを示している。
【００３７】
図９は腕載せ台２００の全体構成を概略的に示している。同図（ａ）は腕載せ台２００を遊技機に取り付けた際の上面から見た平面図であり、同図（ｂ）は側方から見た側面図であり、同図（ｃ）は前方から見た立面図であり、同図（ｄ）は同図（ｂ）のＡ−Ａ線断面図である。図１０は腕載せ台２００のスライド規制手段２５０の構成を示す正面図であり、図１１は収納状態の腕載せ台２００を示す斜視図である。
【００３８】
腕載せ台２００は、その軸が水平方向に沿うように遊技機本体Ｐを設置する台に固定される角筒部材２１０と、角筒部材２１０に沿ってスライド可能にこの角筒部材２１０内に挿通された第１の部材２２０と、第１の部材２２０に沿ってスライド自在にこの第１の部材２２０に装着された第２の部材２３０と、角筒部材２１０の軸方向と垂直の面内において回動可能に第２の部材２３０に取り付けられており、遊技を行う遊技者の腕を載せるための腕載せ部２４０とを備えている。角筒部材２１０には、第１の部材２２０のスライドを規制するスライド規制手段２５０が設けられている。
【００３９】
角筒部材２１０は、所定長さを有する角筒状部材であり、第１の部材２２０がこの角筒部材２１０内に挿通して摺動することによって、腕載せ台２００が角筒部材２１０に対して引き出し状態又は収納状態となる。
【００４０】
第１の部材２２０は、所定長さを有する角柱状部材であり、水平設置時の上面に溝２２１が形成されている。溝２２１の底面に所定間隔で孔２２２が形成されている。また、第１の部材２２０の表側端面には、この端面を覆う端面部材２２３が設けられている。端面部材２２３は、ストッパ機能を有し、スライドレール部材２３２の縁端が当接することで、第２の部材２３０のスライド動作を規制する。
【００４１】
第２の部材２３０は、所定長さを有する角柱状部材２３１と、この角柱状部材２３１の下面に固着されたスライドレール部材２３２とを備えている。角柱状部材２３１は、角棒材又は中空の角筒材から形成され、その両端面には装飾のための端面部材２３３が設けられている。スライドレール部材２３２は、角柱状部材２３１と同幅を有する直方体形状に形成され、その下面に第１の部材２２０の上面の溝２２１に嵌合するレール部２３４が設けられている。図８（ａ）中の第１の部材２２０とスライドレール部材２３２との局部拡大断面図に示すように、このレール部２３４は幅広頭部を有する凸形状の軸断面を有しており、第１の部材２２０の溝２２１に嵌合するように構成されている。スライドレール部材２３２のレール部２３４（図９（ｄ）参照）が第１の部材２２０の溝２２１に沿って摺動するように構成されている。
【００４２】
腕載せ部２４０は、本実施形態では、樹脂材料から形成された板状部材である。この腕載せ部２４０は、例えば、前後方向又は表裏方向（第２の部材２３０の移動方向）に沿った回動軸を有する２つの蝶番２４１を介して第２の部材２３０に取り付けられている。２つの蝶番２４１の上面には、カバー部材２４２が設けられている。腕載せ部２４０は、略水平方向位置（横向き位置）と略垂直方向位置（上向き位置）との間で約９０度回動可能に構成されており、さらに、略水平方向位置（横向き位置）と略垂直方向位置（上向き位置）とにおいて、その状態を保持できる構造になっている。即ち、収納する際は、腕載せ部２４０を略水平方向位置から略垂直方向位置に約９０度回動させ、収納位置にする（図１１参照）。使用する際は、腕載せ部２４０を引き出した時の略垂直方向位置から略水平方向位置に約９０度逆回動させることで、展開させ、腕を載せることができる状態とする。なお、腕載せ部２４０の形状は、図示の形状に限定されるものではない。
【００４３】
スライド規制手段２５０は、図１０に示すように、上端に操作部２５１を有し、中央部にバネ２５２が挿通される円柱状部材２５３を備えている。この円柱状部材２５３は、角筒部材２１０の上面上に形成されている支持部２５４によって支持されている。操作部２５１を上方へ引っ張ることで、スライド規制が解除される。操作部２５１を上方へ引っ張らない場合は、バネ２５２の付勢力により円柱状部材２５３の先端部が角筒部材２１０内に挿入され、第１のスライド部材２２０のスライド溝２２１の底面に設けられている孔２２２（図９（ａ）参照）に嵌入することで、ロック状態（スライド規制）となるように構成されている。
【００４４】
また、腕載せ台２００を図１１に示す収納状態にすることで、清掃等の作業の邪魔にならない。
【００４５】
以上説明したように、本実施形態によれば、遊技機用の仕切り装置１００は、収納枠１０と、固定レール部材２０と、スライド部材３０と、第１の仕切り板４０と、第２の仕切り板５０と、回動軸６０と、スペーサ手段７０とを備えているため、隣接する遊技機間の狭い隙間、例えば、幅１０ｍｍの隙間に配置及び収納可能である。特に、１段目の仕切り板が水平方向に引き出す構造、２段目の仕切り板が１段目の仕切り板に対して回動する構造であるため、構造が単純であり、製造コストが安くかつ仕切り板を引き出した際の美観が優れている。特に、第１の仕切り板４０の下部にはスライド部材等の余分な部材が設けられておらず、また、第２の仕切り板５０の下部にも余分な部材が設けられていないため、簡易なかつすっきりしたデザインとなっており、この点からも優れた美観が得られる。また、遊技者の意向に応じて１段階にも２段階にも引き出すことができる。そして、２段階の引き出し構造により充分な引き出し長さを確保することもできる。
【００４６】
また、第１の仕切り板４０及び第２の仕切り板５０には、互いに対向する面にそれぞれ平滑な凸突出面を有する鋼球又は他の金属球が一部露出して埋め込まれておりこの鋼球又は他の金属球の凸突出面が相手の仕切り板表面に当接することによって、第１の仕切り板４０及び第２の仕切り板５０は互いに所定間隔を保つように構成されている。このため、第１の仕切り板４０と第２の仕切り板５０との間を所定の間隔をだけ離隔させることができ、これにより、第２の仕切り板５０を回動させる際に、表面に擦り傷を発生することを防止できる。
【００４７】
さらに、本実施形態によれば、遊技機は、遊技機本体Ｐと、隣接する遊技機本体間の隙間の部分に設けられた仕切り装置１００と、腕載せ台２００とを備えていることで、仕切り装置１００が隣接する遊技機間の狭い隙間に収納できると共に、遊技者は腕載せ台２００の引き出し長さを調整でき、最適位置において腕を腕載せ部２４０に載せながら遊技機本体ＰのハンドルＨを操作することができる。また、腕載せ部２４０が、略垂直方向位置と略水平方向位置との間で回動可能とされると共に、略垂直方向位置と略水平方向位置とに保持できる構造になっていることで、収納時には、腕載せ部２４０を略垂直方向位置とし、使用時には略水平方向位置として腕載せの機能を与えることができる。
【００４８】
上述した実施形態においては、第１の仕切り板４０と、第２の仕切り板５０とは、樹脂材料で形成されている構成について説明したが、本発明はこれに限定されるものではない。
【００４９】
さらに、上述した実施形態において、仕切り装置１００は、２段階の引き出し構造としたが、本発明はこれに限定されるものではない。必要な引き出し長さに応じて１段階又は３段階の引き出し構造にしてもよい。
【００５０】
さらにまた、上述した実施形態において、仕切り装置１００は、隣接する遊技機本体Ｐの間の空間に設置する例を説明したが、本発明はこれに限定されるものではない。また、このような仕切り装置１００を、遊技機以外の装置に適用してもよい。
【００５１】
以上述べた実施形態は本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【産業上の利用可能性】
【００５２】
本発明は、隣の遊技者のタバコの煙や、隣の遊技者又は遊技機の音声から防御するための遊技機用の仕切り装置をコンパクト、かつ収納可能にする目的に利用できる。
【符号の説明】
【００５３】
１０  収納枠
１１、１２  側板
１３、１４  上下枠
２０  固定レール部材
２１  レール部
２２  固定部材
２３  ネジ
２４  止めネジ
３０  スライド部材
３１  係合部材
３１ａ  スライド溝
３２  コ字形断面部材
３２ａ  凹断面溝
３３  第１のストッパ手段
３４  取り付けネジ
４０  第１の仕切り板
５０  第２の仕切り板
５１  凸部
５２ａ、５２ｂ  板状部材
５３ａ、５３ｂ  切り抜き部
６０  回動軸
７０  スペーサ手段
１００  仕切り装置
１００Ａ  遊技機
２００  腕載せ台
２１０  角筒部材
２２０  第１の部材
２２１  溝
２２２  孔
２２３  端面部材
２３０  第２の部材
２３１  角柱状部材
２３２  スライドレール部材
２３３  端面部材
２３４  レール部
２４０  腕載せ部
２４１  蝶番
２４２  カバー部材
２５０  スライド規制手段
２５１  操作部
２５２  バネ
２５３  円柱状部材
２５４  支持部
Ａ  カードホルダ
Ｂ  充電用ＵＳＢポート
Ｃ  カップホルダ
Ｈ  ハンドル
Ｐ  遊技機本体
Ｍ  パネル
Ｓ  収納ボックス
【図１】
2014100407.tif 000003
【図２】
2014100407.tif 000004
【図３】
2014100407.tif 000005
【図４】
2014100407.tif 000006
【図５】
2014100407.tif 000007
【図６】
2014100407.tif 000008
【図７】
2014100407.tif 000009
【図８】
2014100407.tif 000010
【図９】
2014100407.tif 000011
【図１０】
2014100407.tif 000012
【図１１】
2014100407.tif 000013